(57)【要約】第１の時間にユーザ機器から第１のアップリンクデータを送信するためのアップリンクグラントを、ユーザ機器で受信することと、第１のアップリンクデータを送信するためのトランスポートブロックの準備を開始する第２の時間を特定することであって、第１の時間からトランスポートブロックを準備するための処理時間を引くことを含む、第２の時間を特定することと、を含む方法が開示される。【選択図】図１
2021514568.tif 000002
【特許請求の範囲】
【請求項１】
第１の時間にユーザ機器から第１のアップリンクデータを送信するためのアップリンクグラントを、前記ユーザ機器で受信することと、
前記第１のアップリンクデータを送信するためのトランスポートブロックの準備を開始する第２の時間を特定することであって、前記第１の時間から前記トランスポートブロックを準備するための処理時間を引くことを含む、前記第２の時間を特定することと、
を含む方法。
【請求項２】
前記アップリンクグラントの前記受信と前記トランスポートブロックの前記準備開始との間の第３の時間に、前記ユーザ機器から送信予定であるが送信がスケジューリングされていない第２のアップリンクデータの存在を特定することであって、前記第２のアップリンクデータは緊急データを含み、前記第２のアップリンクデータの前記存在はバッファステータスレポートをトリガーする、前記特定することと、
前記バッファステータスレポートに応じて、前記ユーザ機器からスケジューリング要求をトリガーすることと、
を含む、請求項１に記載の方法。
【請求項３】
前記第２のアップリンクデータが前記ユーザ機器のバッファ内に記憶される、請求項１または請求項２に記載の方法。
【請求項４】
前記スケジューリング要求の前記送信に応じて、前記ユーザ機器が前記第２のアップリンクデータを送信するようにスケジューリングされた、前記第２の時間より前の第４の時間を示すアップリンクグラントを受信することを含む、請求項２または請求項３に記載の方法。
【請求項５】
前記第４の時間は、前記第２の時間より前である、請求項４に記載の方法。
【請求項６】
前記トランスポートブロックに関連付けられたＯＦＤＭシンボルの数に基づいて、前記トランスポートブロックを準備するための前記処理時間を決定することを含む、請求項１〜５のいずれかに記載の方法。
【請求項７】
前記第２の時間と前記第１の時間との間の期間は、前記トランスポートブロックの構築に確保される、請求項１〜６のいずれかに記載の方法。
【請求項８】
前記第１の時間と前記第２の時間との間の期間は、ネットワーク定義パラメータを備える、請求項１〜７のいずれかに記載の方法。
【請求項９】
第１の時間にユーザ機器から第１のアップリンクデータを送信するためのアップリンクグラントを、前記ユーザ機器に送信することと、
前記ユーザ機器から送信予定であるが送信がスケジューリングされていない、緊急データを含む第２のアップリンクデータの存在を示すスケジューリング要求を、前記ユーザ機器から受信することと、
前記スケジューリング要求の前記受信に応じて、前記ユーザ機器が前記第２のアップリンクデータを送信するようにスケジューリングされた、前記第１の時間より前の第２の時間を示すアップリンクグラントを送信することと、
を含む方法。
【請求項１０】
前記第１のアップリンクデータを送信するための前記アップリンクグラントの前記送信と、前記第２の時間との間の期間は、ネットワーク定義パラメータを備える、請求項９に記載の方法。
【請求項１１】
コンピュータプログラムであって、データ処理装置上で実行されると、請求項１〜８のいずれかに記載のステップを実行するように適合されたプログラムコード手段を含む、前記コンピュータプログラム。
【請求項１２】
コンピュータプログラムであって、データ処理装置上で実行されると、請求項９〜１０のいずれかに記載のステップを実行するように適合されたプログラムコード手段を含む、前記コンピュータプログラム。
【請求項１３】
少なくとも１つのプロセッサと、コンピュータプログラムコードを含む少なくとも１つのメモリとを備える装置であって、前記少なくとも１つのメモリ及び前記コンピュータプログラムコードは、前記少なくとも１つのプロセッサで、
第１の時間に前記装置から第１のアップリンクデータを送信するためのアップリンクグラントを受信することと、
前記アップリンクデータを送信するためのトランスポートブロックの準備を開始する第２の時間を特定することであって、前記第１の時間から前記トランスポートブロックを準備するための処理時間を引くことを含む、前記第２の時間を特定することと、
を実行するように構成される、前記装置。
【請求項１４】
前記アップリンクグラントの前記受信と前記トランスポートブロックの前記準備開始との間の第３の時間に、前記装置から送信予定であるが送信がスケジューリングされていない第２のアップリンクデータの存在を特定することであって、前記第２のアップリンクデータは緊急データを含み、前記第２のアップリンクデータの前記存在はバッファステータスレポートをトリガーする、前記特定することと、
前記バッファステータスレポートに応じて、前記ユーザ機器からスケジューリング要求をトリガーすることと、
を実行するように構成された、請求項１３に記載の装置。
【請求項１５】
前記第２のアップリンクデータが前記装置のバッファ内に記憶される、請求項１３または請求項１４に記載の装置。
【請求項１６】
前記スケジューリング要求の前記送信に応じて、前記装置が前記第２のアップリンクデータを送信するようにスケジューリングされた、前記第２の時間より前の第４の時間を示すアップリンクグラントを受信するように構成された、請求項１４または請求項１５に記載の装置。
【請求項１７】
前記第４の時間は、前記第２の時間より前である、請求項１６に記載の装置。
【請求項１８】
前記トランスポートブロックに関連付けられたＯＦＤＭシンボルの数に基づいて、前記トランスポートブロックを準備するための前記処理時間を決定するように構成された、請求項１３〜１７のいずれかに記載の装置。
【請求項１９】
前記第２の時間と前記第１の時間との間の期間は、前記トランスポートブロックの構築に確保される、請求項１３〜１８のいずれかに記載の装置。
【請求項２０】
前記第１の時間と前記第２の時間との間の期間は、ネットワーク定義パラメータを備える、請求項１３〜１９のいずれかに記載の装置。
【請求項２１】
少なくとも１つのプロセッサと、コンピュータプログラムコードを含む少なくとも１つのメモリとを備える装置であって、前記少なくとも１つのメモリ及び前記コンピュータプログラムコードは、前記少なくとも１つのプロセッサで、
第１の時間にユーザ機器から第１のアップリンクデータを送信するためのアップリンクグラントを、前記ユーザ機器に送信することと、
前記ユーザ機器から送信予定であるが送信がスケジューリングされていない、緊急データを含む第２のアップリンクデータの存在を示すスケジューリング要求を、前記ユーザ機器から受信することと、
前記スケジューリング要求の前記受信に応じて、前記ユーザ機器が前記第２のアップリンクデータを送信するようにスケジューリングされた、前記第１の時間より前の第２の時間を示すアップリンクグラントを送信することと、
を実行するように構成される、前記装置。
【請求項２２】
前記第１のアップリンクデータを送信するための前記アップリンクグラントの前記送信と、第２の時間との間の期間は、ネットワーク定義パラメータを備える、請求項２１に記載の装置。
【発明の詳細な説明】
【技術分野】
【０００１】
本開示は、通信に関し、より具体的には、無線通信システムにおける送信に関する。
【背景技術】
【０００２】
通信システムは、通信デバイス間で情報を伝達するための通信チャネルを提供することにより、ユーザ端末、機械型端末、基地局、及び／または他のノードといった２つ以上のデバイス間の通信を可能にする設備とみなされ得る。通信システムは、例えば通信ネットワーク及び１つ以上の互換性のある通信デバイスにより、提供され得る。通信には、例えば、音声、電子メール（ｅメール）、テキストメッセージ、マルチメディアのデータを伝達するためのデータ通信、及び／またはコンテンツデータ通信などが含まれ得る。提供されるサービスの非限定的な例として、双方向または多方向通話、データ通信またはマルチメディアサービス、及びインターネットなどのデータネットワークシステムへのアクセスが挙げられる。
【０００３】
無線システムでは、通信の少なくとも一部は、無線インターフェースを介して行われる。無線システムの例には、公衆地上移動通信ネットワーク（ＰＬＭＮ）、衛星ベース通信システム、及び様々な無線ローカルネットワーク、例えば無線ローカルエリアネットワーク（ＷＬＡＮ）が挙げられる。デバイスがデータネットワークに接続することを可能にするローカルエリア無線ネットワーク技術は、ＷｉＦｉ（またはＷｉ−Ｆｉ）という商標で知られている。ＷｉＦｉは、ＷＬＡＮと同義に使用されることが多い。無線システムは、セルに分割できることから、よくセルラーシステムと称される。基地局は、少なくとも１つのセルを提供する。
【０００４】
ユーザは、基地局と通信することができる好適な通信デバイスまたは端末により、通信システムにアクセスすることができる。よって、基地局のようなノードは、よくアクセスポイントと称される。ユーザの通信デバイスは、よくユーザ機器（ＵＥ）と称される。通信デバイスには、通信を可能にする、例えば基地局との通信及び／または他のユーザデバイスとの直接通信を可能にするための好適な信号送受信装置が設けられる。通信デバイスは、例えばセルの基地局などの局が送信を行うチャネルを傍受するなど、好適なチャネルで通信し得る。
【０００５】
通信システム及び関連デバイスは、通常、システムに関連付けられた様々なエンティティの許可された動作、及びその遂行方法を規定する所与の規格または仕様に従って、作動する。接続に使用される通信プロトコル及び／またはパラメータも、通常定義される。標準化された無線アクセス技術の非限定的な例には、ＧＳＭ（汎欧州デジタル移動電話方式）、ＥＤＧＥ（ＧＳＭ革新のための強化データ）無線アクセスネットワーク（ＧＥＲＡＮ）、ユニバーサル地上無線アクセスネットワーク（ＵＴＲＡＮ）、及び次世代ＵＴＲＡＮ（Ｅ−ＵＴＲＡＮ）が挙げられる。例示的な通信システムアーキテクチャには、ユニバーサル移動体通信システム（ＵＭＴＳ）無線アクセス技術のロングタームエボリューション（ＬＴＥ）がある。ＬＴＥは、第３世代パートナーシッププロジェクト（３ＧＰＰ）により標準化される。ＬＴＥは、次世代ユニバーサル地上無線アクセスネットワーク（Ｅ−ＵＴＲＡＮ）アクセスと、ＬＴＥアドバンスト（ＬＴＥ−Ａ）と時に称されるそのさらなる進歩型を、採用する。
【０００６】
第４世代（４Ｇ）サービスの導入以降、次の第５世代（５Ｇ）規格への関心が高まっている。５Ｇは、新無線（ＮＲ）ネットワークとも称され得る。５Ｇすなわち新無線ネットワークの標準化は、現在進行中の検討事項である。
【０００７】
ユーザ機器（ＵＥ）が送信データを有する場合、ＵＥがそのデータを送信するようにスケジューリングされ得るように、ＵＥはスケジューリング要求（ＳＲ）を送信する。ＳＲは、ＵＥが送信アップリンク（ＵＬ）データを有することを、基地局（例えばｅＮＢまたはｇＮＢ）内のスケジューラに通知する。ＳＲの送信遅延に関する問題が存在し得る。
【発明の概要】
【０００８】
第１の態様によれば、第１の時間にユーザ機器から第１のアップリンクデータを送信するためのアップリンクグラントを、ユーザ機器で受信することと、第１のアップリンクデータを送信するためのトランスポートブロックの準備を開始する第２の時間を特定することであって、第１の時間からトランスポートブロックを準備するための処理時間を引くことを含む、第２の時間を特定することと、を含む方法が提供される。
【０００９】
一実施例によれば、方法は、アップリンクグラントの受信とトランスポートブロックの準備開始との間の第３の時間に、ユーザ機器から送信予定であるが送信がスケジューリングされていない第２のアップリンクデータの存在を特定することであって、第２のアップリンクデータは緊急データを含み、第２のアップリンクデータの存在はバッファステータスレポートをトリガーする、特定することと、バッファステータスレポートに応じて、ユーザ機器からスケジューリング要求をトリガーすることと、を含む。
【００１０】
一実施例によれば、方法は、第２のアップリンクデータがユーザ機器のバッファ内に記憶されることを含む。
【００１１】
一実施形態によれば、方法は、スケジューリング要求の送信に応じて、ユーザ機器が第２のアップリンクデータを送信するようにスケジューリングされた、第２の時間より前の第４の時間を示すアップリンクグラントを受信することを含む。
【００１２】
一実施例によれば、第４の時間は、第２の時間より前である。
【００１３】
一実施例によれば、方法は、トランスポートブロックに関連付けられたＯＦＤＭシンボルの数に基づいて、トランスポートブロックを準備するための処理時間を決定することを含む。
【００１４】
一実施例によれば、第２の時間と第１の時間との間の期間は、トランスポートブロックの構築に確保される。
【００１５】
一実施例によれば、第１の時間と第２の時間との間の期間は、ネットワーク定義パラメータを備える。
【００１６】
第２の態様によれば、第１の時間にユーザ機器から第１のアップリンクデータを送信するためのアップリンクグラントを、ユーザ機器に送信することと、ユーザ機器から送信予定であるが送信がスケジューリングされていない、緊急データを含む第２のアップリンクデータの存在を示すスケジューリング要求を、ユーザ機器から受信することと、スケジューリング要求の受信に応じて、ユーザ機器が第２のアップリンクデータを送信するようにスケジューリングされた、第１の時間より前の第２の時間を示すアップリンクグラントを送信することと、を含む方法が提供される。
【００１７】
一実施例によれば、第１のアップリンクデータを送信するためのアップリンクグラントの送信と、第２の時間との間の期間は、ネットワーク定義パラメータを備える。
【００１８】
第３の態様によれば、コンピュータプログラムであって、データ処理装置上で実行されると、第１の態様のステップを実行するように適合されたプログラムコード手段を含むコンピュータプログラムが提供される。
【００１９】
第４の態様によれば、コンピュータプログラムであって、データ処理装置上で実行されると、第２の態様のステップを実行するように適合されたプログラムコード手段を含むコンピュータプログラムが提供される。
【００２０】
第５の態様によれば、少なくとも１つのプロセッサと、コンピュータプログラムコードを含む少なくとも１つのメモリとを備える装置であって、少なくとも１つのメモリ及びコンピュータプログラムコードは、少なくとも１つのプロセッサで、第１の時間に装置から第１のアップリンクデータを送信するためのアップリンクグラントを受信することと、アップリンクデータを送信するためのトランスポートブロックの準備を開始する第２の時間を特定することであって、第１の時間からトランスポートブロックを準備するための処理時間を引くことを含む、第２の時間を特定することと、を実行するように構成される、装置が提供される。
【００２１】
一実施例によれば、装置は、アップリンクグラントの受信とトランスポートブロックの準備開始との間の第３の時間に、装置から送信予定であるが送信がスケジューリングされていない第２のアップリンクデータの存在を特定することであって、第２のアップリンクデータは緊急データを含み、第２のアップリンクデータの存在はバッファステータスレポートをトリガーする、特定することと、バッファステータスレポートに応じて、ユーザ機器からスケジューリング要求をトリガーすることと、を実行するように構成される。
【００２２】
一実施例によれば、第２のアップリンクデータは、装置のバッファ内に記憶される。
【００２３】
一実施例によれば、装置は、スケジューリング要求の送信に応じて、装置が第２のアップリンクデータを送信するようにスケジューリングされた、第２の時間より前の第４の時間を示すアップリンクグラントを受信することを、実行するように構成される。
【００２４】
一実施例によれば、第４の時間は、第２の時間より前である。
【００２５】
一実施例によれば、装置は、トランスポートブロックに関連付けられたＯＦＤＭシンボルの数に基づいて、トランスポートブロックを準備するための処理時間を決定することを、実行するように構成される。
【００２６】
一実施例によれば、第２の時間と第１の時間との間の期間は、トランスポートブロックの構築に確保される。
【００２７】
一実施例によれば、第１の時間と第２の時間との間の期間は、ネットワーク定義パラメータを備える。
【００２８】
第６の態様によれば、少なくとも１つのプロセッサと、コンピュータプログラムコードを含む少なくとも１つのメモリとを備える装置であって、少なくとも１つのメモリ及びコンピュータプログラムコードは、少なくとも１つのプロセッサで、第１の時間にユーザ機器から第１のアップリンクデータを送信するためのアップリンクグラントを、ユーザ機器に送信することと、ユーザ機器から送信予定であるが送信がスケジューリングされていない、緊急データを含む第２のアップリンクデータの存在を示すスケジューリング要求を、ユーザ機器から受信することと、スケジューリング要求の受信に応じて、ユーザ機器が第２のアップリンクデータを送信するようにスケジューリングされた、第１の時間より前の第２の時間を示すアップリンクグラントを送信することと、を実行するように構成される、装置が提供される。
【００２９】
一実施例によれば、第１のアップリンクデータを送信するためのアップリンクグラントの送信と、第２の時間との間の期間は、ネットワーク定義パラメータを備える。
【００３０】
これより、下記の実施例及び添付図面を例としてのみ参照しながら、本発明がさらに詳しく説明される。
【図面の簡単な説明】
【００３１】
【図１】本発明を実施することができる無線通信システムの概略的な一実施例を示す。
【図２】通信デバイスの一実施例を示す。
【図３】制御装置の一実施例を示す。
【図４】一実施例によるタイミング図である。
【図５】一実施例によるタイミング図である。
【図６】一実施例によるタイミング図である。
【図７】一実施例による方法のフローチャートである。
【図８】一実施例による方法のフローチャートである。
【発明を実施するための形態】
【００３２】
実施例を詳しく説明する前に、説明される実施例の基礎となる技術の理解を支援するために、無線通信システム及びモバイル通信デバイスの特定の一般的原理が、図１〜図２を参照しながら簡単に説明される。
【００３３】
図１に示されるような無線通信システム１００では、無線通信デバイス、例えばユーザ機器（ＵＥ）またはＭＴＣデバイス１０２、１０４、１０５に、少なくとも１つの基地局または同様の無線送信及び／または受信を行う無線インフラストラクチャノードもしくはポイントを介して、無線アクセスが提供される。このようなノードは、例えば、基地局もしくはｅＮｏｄｅＢ（ｅＮＢ）、または５Ｇシステムでは次世代ＮｏｄｅＢ（ｇＮＢ）、または他の無線インフラストラクチャノードであり得る。これらのノードは、通常、基地局と称される。基地局は通常、基地局の動作、及び基地局と通信するモバイル通信デバイスの管理を可能にするために、少なくとも１つの好適なコントローラ装置により制御される。コントローラ装置は、無線アクセスネットワーク（例えば無線通信システム１００）内またはコアネットワーク（ＣＮ）（図示せず）内に配置され得、１つの中央装置として実施され得る、またはその機能がいくつかの装置に分散され得る。コントローラ装置は、基地局の一部であり得、及び／または無線ネットワークコントローラなどの別個のエンティティにより提供され得る。図１では、マクロレベル基地局１０６及び１０７をそれぞれ制御する制御装置１０８及び１０９が示される。いくつかのシステムでは、制御装置は、無線ネットワークコントローラに、付加的または代替的に提供され得る。無線アクセスシステムの他の例には、５Ｇすなわち新無線、無線ローカルエリアネットワーク（ＷＬＡＮ）及び／またはＷｉＭａｘ（マイクロ波アクセスの世界的相互運用）などの技術に基づくシステムの基地局により提供される無線アクセスシステムが挙げられる。基地局は、セル全体または同様の無線サービスエリアのカバレッジを提供し得る。
【００３４】
図１では、基地局１０６及び１０７が、ゲートウェイ１１２を介してより広い通信ネットワーク１１３に接続されているのが示される。別のネットワークに接続するために、さらなるゲートウェイ機能が提供されてもよい。
【００３５】
より小さい基地局１１６、１１８、及び１２０も、例えば別個のゲートウェイ機能により及び／またはマクロレベル局のコントローラを介して、ネットワーク１１３に接続され得る。基地局１１６、１１８、及び１２０は、ピコまたはフェムトレベルの基地局などであり得る。この実施例では、局１１６及び１１８は、ゲートウェイ１１１を介して接続され、一方、局１２０は、コントローラ装置１０８を介して接続する。いくつかの実施形態では、より小さい局は設けられない場合がある。
【００３６】
ここで、通信デバイス２００の概略的な部分断面図を示す図２を参照して、可能な無線通信デバイスがより詳しく説明される。このような通信デバイスは、よくユーザ機器（ＵＥ）または端末と称される。無線信号を送受信できる任意のデバイスにより、好適なモバイル通信デバイスが提供され得る。非限定的な例では、携帯電話もしくは「スマートフォン」として知られるものなどの移動局（ＭＳ）もしくはモバイルデバイス、無線インターフェースカードもしくは他の無線インターフェース設備（例えばＵＳＢドングル）が設けられたコンピュータ、ワイヤレス通信機能を備えたパーソナルデータアシスタント（ＰＤＡ）もしくはタブレット、またはこれらの任意の組み合わせなどが挙げられる。モバイル通信デバイスは、例えば、音声、電子メール（ｅメール）、テキストメッセージ、マルチメディアなどの通信を伝達するためのデータ通信を提供し得る。従って、ユーザは、ユーザの通信デバイスを介して、多数のサービスが提案され、提供され得る。これらのサービスの非限定的な例として、双方向もしくは多方向通話、データ通信もしくはマルチメディアサービス、または単に、インターネットなどのデータ通信ネットワークシステムへのアクセスが挙げられる。ユーザには、ブロードキャストまたはマルチキャストデータも提供され得る。コンテンツの非限定的な例として、ダウンロード、テレビ及びラジオ番組、ビデオ、広告、様々な警報、並びに他の情報が挙げられる。
【００３７】
無線通信デバイスは、例えばモバイルデバイス、すなわち特定の場所に固定されていないデバイスであり得る、または固定装置であり得る。無線デバイスは、通信を行うために人によるインタラクションが必要であり得る、または通信を行うために人によるインタラクションは不必要であり得る。本教示では、用語ＵＥすなわち「ユーザ機器」は、任意の種類の無線通信デバイスを指すために使用される。
【００３８】
無線デバイス２００は、受信に好適な装置を介してエアすなわち無線のインターフェース２０７により信号を受信し得、無線信号の送信に好適な装置を介して信号を送信し得る。図２では、送受信装置が、ブロック２０６により概略的に示される。送受信装置２０６は、例えば無線部品及び関連するアンテナ配列により、提供され得る。アンテナ配列は、無線デバイスの内部または外部に配置され得る。
【００３９】
無線デバイスには通常、少なくとも１つのデータ処理エンティティ２０１と、少なくとも１つのメモリ２０２と、他の可能性のある構成要素２０３とが設けられ、他の可能性のある構成要素２０３は、アクセスシステム及び他の通信デバイスへのアクセス制御及び通信を含む、無線デバイスが実行するように設計されたタスクを、ソフトウェア及びハードウェアで実行する際に、使用される。データ処理、ストレージ、及び他の関連する制御装置が、好適な回路基板上及び／またはチップセット内に設けられ得る。この特徴は、参照番号２０４で示される。ユーザは、キーパッド２０５、音声コマンド、タッチ感応スクリーンもしくはパッド、またはこれらの組み合わせなどの好適なユーザインターフェースにより、無線デバイスの動作を制御し得る。ディスプレイ２０８、スピーカ、及びマイクロフォンも設けられ得る。さらに、無線通信デバイスは、他のデバイスへの好適なコネクタ（有線または無線）、及び／または例えばハンズフリー機器などの外部アクセサリを他のデバイスに接続するための好適なコネクタ（有線または無線）を備え得る。通信デバイス１０２、１０４、１０５は、様々なアクセス技術に基づいて、通信システムにアクセスし得る。
【００４０】
図３は、ＲＡＮノードなどのアクセスシステムの局、例えば基地局、ｇＮＢ、ＭＭＥもしくはＳ−ＧＷなどのコアネットワークのクラウドアーキテクチャもしくはノードの中央装置、スペクトル管理エンティティなどのスケジューリングエンティティ、またはサーバもしくはホストに対し、例えば、接続される及び／または制御を行う通信システムの制御装置の一実施例を示す。制御装置は、コアネットワークまたはＲＡＮのノードまたはモジュールと統合され得る、またはその外部に存在し得る。いくつかの実施形態では、基地局は、別個の制御装置ユニットまたはモジュールを備える。他の実施形態では、制御装置は、無線ネットワークコントローラまたはスペクトルコントローラなどの別のネットワーク要素であり得る。いくつかの実施形態では、各基地局は、このような制御装置、並びに無線ネットワークコントローラに設けられた制御装置を有し得る。制御装置３００は、システムのサービスエリア内の通信を制御するように構成され得る。制御装置３００は、少なくとも１つのメモリ３０１と、少なくとも１つのデータ処理ユニットまたはプロセッサ３０２、３０３と、入出力インターフェース３０４とを備える。インターフェースを介して、制御装置は、基地局の受信機及び送信機に接続され得る。受信機及び／または送信機は、無線フロントエンドまたは遠隔無線ヘッドとして、実装され得る。例えば、制御装置３００またはプロセッサ２０１は、好適なソフトウェアコードを実行して制御機能を提供するように構成され得る。
【００４１】
図４は、ＵＥがデータを送信するプロセスを示す。４０２に示されるように、ＵＥは、ある送信データを有するが、データの送信を可能にするＵＬ（アップリンク）リソースを有さない。従って、４０４にて、ＵＥは、物理アップリンク制御チャネル（ＰＵＣＣＨ）でスケジューリング要求（ＳＲ）を送信する。４０６にて、ＵＥは、バッファステータスレポート（ＢＳＲ）に対するＵＬグラントを受信し、４０８にて、ＵＥは、ＰＵＳＣＨでＢＳＲを送信する。ＢＳＲは、例えば基地局に、ＵＥが送信予定のデータの存在を通知する。これに続いて、４１０にて、ＵＥはＵＬグラントを受信し、これにより、４１２に示されるように、ＵＥはＵＬデータを送信することが可能となる。
【００４２】
上記のプロセスでは、ＬＴＥの場合、ＵＬグラントがない時は、ＳＲが送信時間間隔（ＴＴＩ）でトリガーされる。これにより、トリガーされたＢＳＲをアップリンクトランスポートブロック（ＴＢ）で送信することが可能となる。しかし、５Ｇの新無線（ＮＲ）の目的は、メディアアクセス制御（ＭＡＣ）仕様から「ＴＴＩ」を取り除くことである。従って、ＵＬグラントとＳＲトリガーとのタイミングは不明確である。
【００４３】
さらに、ＲＡＮ１では、パラメータ「Ｋ２」を導入することが合意されている。パラメータＫ２は、ＵＬグラントの物理ダウンリンク制御チャネル（ＰＤＣＣＨ）受信と物理アップリンク共有チャネル（ＰＵＳＣＨ）送信との間の時間を示す。これにより、曖昧な期間が、ＬＴＥよりもさらに長くなり得る。各ＵＬグラントにＰＤＣＣＨを必要としない設定済みグラントと称され得るグラントフリー（ＧＦ）または半永続スケジューリング（ＳＰＳ）グラントも存在し得る。
【００４４】
ＲＡＮ１では、「Ｎ２」値についても合意されている。Ｎ２値は、ＵＬグラントを含むＮＲ−ＰＤＣＣＨの終わりから、対応するＮＲ−ＰＵＳＣＨ送信の可能な限り早い開始までのＵＥ処理に必要な処理時間である。処理時間Ｎ２は、直交周波数分割多重（ＯＦＤＭ）シンボルの数に基づき得、または依存し得、様々なニューメロロジーに関しては異なり得る。
【００４５】
従って、少なくとも部分的には柔軟性要件が増えたことから、本発明者らは、ＮＲでは、ＢＳＲトリガーとＳＲトリガーとの関係が不明確であることを特定した。これは、ＳＲの不必要な長い遅延を生じ得る。例えば、Ｋ２値が大きい場合、通常のＢＳＲが時点Ｔ１でトリガーされると、Ｔ１＋１０ミリ秒で使用可能なアップリンクグラントにより、１０ミリ秒間ＳＲが禁止され得る。拡張モバイルブロードバンド（ｅＭＢＢ）データが前のＳＲをトリガーした後に、ｇＮＢがＴ１＋１０ミリ秒グラントを提供する事例も存在し得る。その間に、超高信頼低遅延通信（ＵＲＬＬＣ）データがＵＥバッファに入る場合があり、より短いレイテンシが要求され得る。
【００４６】
下記でさらに詳しく説明されるように、本出願は、トランスポートブロック（ＴＢ）の構築に伴うタイミングに関する。いくつかの実施例では、「ＴＢの構築」は、ＭＡＣ  ＰＤＵの構築を指し得る。いくつかの実施例では、ＵＥは、実際のＰＵＳＣＨ送信の可能な限り近くにＴＢを構築する。これは、着信した、すなわち新しく作成されたＢＳＲが送信用ＴＢに含まれる機会を最大化する。さらに、ＴＢを実際のＰＵＳＣＨ送信のより近くに構築することにより、確実にＢＳＲ／ＰＨＲ（パワーヘッドルームレポート）は最新のステータスを反映する（例えば他のキャリアに対する後のＵＬグラントが存在し得、これはＰＨＲレポートに反映されるべきである）。一実施例では、ＵＥは、下記より早い時点でＴＢの構築を開始することはない。
Ｔ０＋Ｋ２−Ｎ２
Ｔ０は、ＵＬグラントのＰＤＣＣＨが受信された時であり、Ｋ２は、ＰＤＣＣＨ受信とＰＵＳＣＨ送信との間の時間であり、Ｎ２は、ＵＥ処理時間である。
【００４７】
一実施例では、ＧＦ／ＳＰＳグラントの場合、ＵＥは、ＵＬグラントの時点からＵＥ処理時間を引いた時点より前に、ＴＢを構築しない。一実施例では、一般的には、上記の方程式はＵＥにマッピングされ、よって、ＵＥは、ＵＬグラントの時点からＵＥ処理時間を引いた時点より前に、いずれのＴＢも構築しない。
【００４８】
開示されるさらなる態様は、ＳＲトリガーに関する。一実施例によれば、ＳＲは、ＢＳＲがＴＢに含まれていないという状況で（いくつかの実施例ではそのような状況であると判定されると）トリガーされる。例えば、時間Ｔ０〜時間Ｔ０＋Ｋ２−Ｎ２の間に任意のＢＳＲがトリガーされた場合、ＳＲがトリガーされる。
【００４９】
いくつかの実施例によれば、基準またはトリガー条件を、ＵＬリソースの有無から、ＢＳＲがＴＢに含まれているか否かの判定に変更し、ＴＢを可能な限り遅く構築することで、ＳＲの遅延に関する前述の問題は克服できる。
【００５０】
一実施例では、通常のＢＳＲをトリガーしたＬＣＨ（論理チャネル）が、いずれのＳＲ構成にも割り当てられていない場合（すなわちＳＲがトリガーされるなら、ＳＲプロシージャ内のランダムアクセス（ＲＡ）プロシージャをトリガーする場合）、ＳＲはトリガーされない。あるいは、ＳＲ／ＲＡプロシージャはトリガーされ得るが、トリガーされたＢＳＲがＭＡＣ  ＰＤＵに含まれる場合、ＳＲがキャンセルされるため、よってＲＡプロシージャは中止される。
【００５１】
いくつかの実施例によれば、ランダムアクセス（ＲＡ）プロシージャは、常に、Ｔｘ時間までの最大グラントよりも長い時間を要すると想定される。よって、いくつかの実施例では、ＲＡプロシージャは、上記の実施例に従って、ＲＡプロシージャはトリガーされない、または中止される。
【００５２】
ここで図５及び図６に関して、いくつかの実施例がより詳しく説明される。
【００５３】
図５に示されるように、時間Ｔ０に、ＵＬグラントのＰＤＣＣＨが受信される。時間Ｔ１に、ＢＳＲがトリガーされる。時間Ｔ０＋Ｋ２に、ＰＵＳＣＨでの送信が発生する。実施例では、ＵＥは、時間Ｔ０＋Ｋ２−Ｎ２にＴＢを準備し始めるが、これは、処理時間Ｎ２を考慮して、時間Ｔ０＋Ｋ２でのＰＵＳＣＨ送信に間に合うように、ＴＢを準備し仕上げることができる最も遅い時間である。Ｔ０＋Ｋ２−Ｎ２以降の時点でＴＢを構築する要件がなければ、ＵＥの実施態様は、Ｔ０とＴ０＋Ｋ２との間の任意の時間にＴＢを構築し得る。その場合、ＴＢにＢＳＲが含まれ次第、ＳＲはトリガーされず、ＢＳＲ送信は、Ｔ０＋Ｋ２でのみ起こり得る。
【００５４】
図６は、基地局（例えばｇＮＢ）がＳＲを受信し、既に割り当てられているＰＵＳＣＨよりも早い時点にＵＬグラントを割り当てることができる提案を示す。これは、例えば、ＰＵＳＣＨの初期割り当てに続いて緊急サービスデータ（例えばＵＲＬＬＣデータ）の到着をＳＲが示した場合に、起こり得る。
【００５５】
図６に示されるように、時間Ｔ０に、ＵＬグラントのＰＤＣＣＨが受信される。Ｔ０で受信されたＰＤＣＣＨは、Ｔ０＋Ｋ２のＰＵＳＣＨの時間を効果的に設定する。
【００５６】
時間Ｔ１に、ＢＳＲがトリガーされ、ＵＥバッファ内の新たなデータを示す。この実施例では、新たなデータは、高優先度または緊急サービスデータ（例えばＵＲＬＬＣデータ）を含む。高優先度または緊急データは、一実施例では、１０ミリ秒未満で送信される必要があるデータであるとみなされ得る。従って、時間Ｔ１にＳＲがトリガーされ、ｇＮＢに送信される。いくつかの実施例では、（ａ）ＢＳＲに関連付けられた新たなデータが、高優先度もしくは緊急サービスデータ、すなわち既に送信利用可能なデータと比べて高優先度のデータを含むという判定、及び（ｂ）いずれのＴＢにもＢＳＲはまだ含まれていないという判定に応じて、ＳＲがトリガーされる。
【００５７】
Ｔ１でトリガーされたＳＲに応じて、時間Ｔ１より後の時間Ｔ２に、ＵＬグラントのＰＤＣＣＨが受信される。バッファ内の緊急データを考慮して、緊急データを送信できるＰＵＳＣＨが、時間Ｔ２＋Ｋ２＿１にスケジューリングされる。この実施例では、Ｋ２＿１は、Ｋ２より短い時間である。従って、この実施例では、緊急データは、時間Ｔ２＋Ｋ２＿１に送信され、これは時間Ｔ０＋Ｋ２より前に起こる。従って、緊急データは、標準のプロシージャを利用して時間Ｔ０＋Ｋ２に送信される通常送信時間よりも、早く送信される。
【００５８】
説明される実施例によれば、いくつかの実施形態では、ＢＳＲは、一旦ｇＮＢで受信されると、ＵＥバッファの最新ステータスを反映することが、保証される。いくつかの実施例によれば、Ｔ０＋Ｋ２−Ｎ２とＴ０＋Ｋ２との間の期間は、ＴＢ構築に確保される。
【００５９】
説明される実施例によれば、いくつかの実施形態では、不適切であり得るが利用可能な別のサービスのＵＬグラントが存在し得る場合でも、可能性のある他のサービスのために、ＳＲは送信され得ることが保証される。これは、サービス品質（ＱｏＳ）の向上につながり得る。
【００６０】
さらなる理解を促すために、図７及び図８のフローチャートに関して、さらに方法が説明される。
【００６１】
図７は、ユーザ機器の観点から見た方法を示すフローチャートであり、図６のタイミング図に関連して説明される。
【００６２】
方法は、Ｓ１にて、第１の時間（Ｔ０＋Ｋ２）にユーザ機器から第１のアップリンクデータを送信するためのアップリンクグラントを、ユーザ機器で受信することを含む。
【００６３】
方法は、Ｓ２にて、第１のアップリンクデータを送信するためのトランスポートブロックの準備を開始する第２の時間（Ｔ０＋Ｋ２−Ｎ２）を特定することであって、第１の時間（Ｔ０＋Ｋ２）からトランスポートブロックを準備するための処理時間（Ｎ２）を引くことを含む、第２の時間を特定することを含む。
【００６４】
方法は、アップリンクグラントの受信とトランスポートブロックの準備開始との間の第３の時間（Ｔ１）に、ユーザ機器から送信予定であるが送信がスケジューリングされていない第２のアップリンクデータの存在を特定することであって、第２のアップリンクデータは緊急データを含み、第２のアップリンクデータの存在はバッファステータスレポートをトリガーする、特定することと、バッファステータスレポートに応じて、ユーザ機器からスケジューリング要求をトリガーすることと、を含み得る。
【００６５】
方法は、第２のアップリンクデータがユーザ機器のバッファ内に記憶されることを含み得る。
【００６６】
方法は、スケジューリング要求の送信に応じて、ユーザ機器が第２のアップリンクデータを送信するようにスケジューリングされた、第２の時間（Ｔ０＋Ｋ２−Ｎ２）より前の第４の時間（Ｔ２＋Ｋ２＿１）を示すアップリンクグラントを受信することを含み得る。
【００６７】
方法は、第４の時間（Ｔ２＋Ｋ２＿１）が、第２の時間（Ｔ０＋Ｋ２−Ｎ２）より前であることを含み得る。
【００６８】
方法は、トランスポートブロックに関連付けられたＯＦＤＭシンボルの数に基づいて、トランスポートブロックを準備するための処理時間を決定することを含み得る。
【００６９】
方法は、第２の時間（Ｔ０＋Ｋ２−Ｎ２）と第１の時間（Ｔ０＋Ｋ２）との間の期間が、トランスポートブロックの構築に確保されることを含み得る。
【００７０】
方法は、第１の時間（Ｔ０）と第２の時間（Ｔ０＋Ｋ２）との間の期間が、ネットワーク定義パラメータ（Ｋ２）を備えることを、含み得る。
【００７１】
図８は、基地局の観点から見た方法を示すフローチャートであり、図６のタイミング図に関連して説明される。
【００７２】
方法は、Ｓ１にて、第１の時間（Ｔ０＋Ｋ２）にユーザ機器から第１のアップリンクデータを送信するためのアップリンクグラントを、ユーザ機器に送信することを含む。
【００７３】
方法は、Ｓ２にて、ユーザ機器から送信予定であるが送信がスケジューリングされていない、緊急データを含む第２のアップリンクデータの存在を示すスケジューリング要求を、ユーザ機器から受信することを含む。
【００７４】
方法は、Ｓ３にて、スケジューリング要求の受信に応じて、ユーザ機器が第２のアップリンクデータを送信するようにスケジューリングされた、第１の時間（Ｔ０＋Ｋ２）より前の第２の時間（Ｔ２＋Ｋ２＿１）を示すアップリンクグラントを送信することを含む。
【００７５】
方法は、第１のアップリンクデータを送信するためのアップリンクグラントの送信と、第２の時間との間の期間が、ネットワーク定義パラメータ（Ｋ２）を備えることを、含み得る。
【００７６】
一般に、様々な実施形態は、ハードウェアもしくは専用回路、ソフトウェア、ロジック、またはこれらの任意の組み合わせで実施され得る。本発明のいくつかの態様は、ハードウェアで実施され得、一方他の態様は、コントローラ、マイクロプロセッサ、または他のコンピューティングデバイスにより実行され得るファームウェアまたはソフトウェアで実施され得るが、本発明はこれらに限定されない。本発明の様々な態様が、ブロック図、フローチャートとして、またはある他の図的表現を用いて、例示され説明され得るが、本明細書に説明されるこれらのブロック、装置、システム、技術、または方法は、非限定的な例として、ハードウェア、ソフトウェア、ファームウェア、専用回路もしくはロジック、汎用ハードウェアもしくはコントローラもしくは他のコンピューティングデバイス、またはこれらのある組み合わせで、実施され得ることが、よく理解されよう。
【００７７】
本発明の実施形態は、プロセッサエンティティ内などのモバイルデバイスのデータプロセッサが実行可能なコンピュータソフトウェアにより、またはハードウェアにより、またはソフトウェア及びハードウェアの組み合わせにより、実施され得る。ソフトウェアルーチン、アプレット、及び／またはマクロを含む、プログラム製品とも称されるコンピュータソフトウェアまたはプログラムは、任意の装置可読データ記憶媒体に格納され得、これらは、特定のタスクを実行するためのプログラム命令を備える。コンピュータプログラム製品は、プログラムが実行されると実施形態を遂行するように構成された１つ以上のコンピュータ実行可能構成要素を備え得る。１つ以上のコンピュータ実行可能構成要素は、少なくとも１つのソフトウェアコードまたはその一部であり得る。
【００７８】
さらに、これに関して、図のような論理フローのいずれのブロックも、プログラムステップ、または相互接続された論理回路、ブロック、及び機能、またはプログラムステップと論理回路、ブロック、及び機能との組み合わせを表し得ることに、留意されたい。ソフトウェアは、プロセッサ内に実装されたメモリチップまたはメモリブロックなどの物理媒体、ハードディスクまたはフロッピディスクなどの磁気媒体、及び例えばＤＶＤ及びそのデータ変形形態、ＣＤなどの光学媒体に、格納され得る。物理媒体は、非一時的媒体である。
【００７９】
メモリは、ローカル技術環境に好適な任意の種類であり得、半導体ベースのメモリデバイス、磁気メモリデバイス及びシステム、光学メモリデバイス及びシステム、固定メモリ、並びに着脱可能メモリなど、任意の好適なデータストレージ技術を使用して実施され得る。データプロセッサは、ローカル技術環境に好適な任意の種類であり得、非限定的な例として、１つ以上の汎用コンピュータ、専用コンピュータ、マイクロプロセッサ、デジタル信号プロセッサ（ＤＳＰ）、特定用途向け集積回路（ＡＳＩＣ）、ＦＰＧＡ、ゲートレベル回路、及びマルチコアプロセッサアーキテクチャに基づくプロセッサを備え得る。
【００８０】
本発明の実施形態は、集積回路モジュールなどの様々な構成要素で実施され得る。集積回路の設計は、概して高度に自動化されたプロセスである。論理レベル設計を、半導体基板にエッチングして形成できる状態の半導体回路設計に変換するための複雑で強力なソフトウェアツールが利用可能である。
【００８１】
前述の説明は、非限定的な例として、本発明の例示的な実施形態の完全かつ有益な説明を提供してきた。しかし、前述の説明に照らして、添付の図面及び添付の特許請求の範囲と併せて読むと、様々な変更形態及び適合形態が、関連技術の当業者には明らかとなり得る。ただし、本発明の教示のこのような変更形態及び同様の変更形態は全て、添付の特許請求の範囲で定義される本発明の範囲内に尚も含まれる。実際に、１つ以上の実施形態と、前述のその他の実施形態のうちのいずれかとの組み合わせを含むさらなる実施形態が存在する。
【図１】
2021514568.tif 000003
【図２】
2021514568.tif 000004
【図３】
2021514568.tif 000005
【図４】
2021514568.tif 000006
【図５】
2021514568.tif 000007
【図６】
2021514568.tif 000008
【図７】
2021514568.tif 000009
【図８】
2021514568.tif 000010
【国際調査報告】
2021514568.tif 000011